(57)【要約】      （修正有）【課題】名刺が取り出しやすく、構造が簡単で、かつ収容枚数の多少に関わらず、名刺が飛び出さないように保持できる名刺入れを提供する。【解決手段】折り畳み部２で折り畳み可能な名刺入れであって、内側に名刺収容部３を備え、当該名刺収容部３は、折り畳み部２の辺以外の三辺のうちの二辺で名刺を保持する収容片４を有し、折り畳んだ状態で収容した名刺が飛び出さないように、前記折り畳み部２の辺及び収容片の設けられた二辺以外の一辺を留める留め部材７ａ，７ｂが設けられており、折り畳んだ状態では名刺の四辺が保持される。【選択図】図１
2015228999.tif 000002
【特許請求の範囲】
【請求項１】
折り畳み部で折り畳み可能な名刺入れであって、
内側に名刺収容部を備え、当該名刺収容部は、折り畳み部の辺以外の三辺のうちの二辺で名刺を保持する収容片を有し、
折り畳んだ状態で収容した名刺が飛び出さないように、前記折り畳み部の辺及び収容片の設けられた二辺以外の一辺を留める留め部材が設けられており、折り畳んだ状態では名刺の四辺が保持される、名刺入れ。
【請求項２】
前記収容片が、前記名刺収容部の一隅に取り付けられた三角形の部材である、請求項１に記載の名刺入れ。
【請求項３】
前記収容片が、名刺入れの内側、左右二箇所に取り付けられている、請求項１又は２に記載の名刺入れ。
【請求項４】
前記留め部材が、折り畳み自在な蓋片である、請求項１〜３のいずれかに記載の名刺入れ。
【請求項５】
前記蓋片が、ボタン、面ファスナー又はクリップで係止する係止部材を有している、請求項４の名刺入れ。
【請求項６】
前記留め部材が、折り畳み部の辺及び収容片の設けられた二辺以外の一辺から、当該辺に対向する対辺、又は、隣り合う辺へ架け渡された伸縮性バンドである、請求項１〜３のいずれかに記載の名刺入れ。
【発明の詳細な説明】
【技術分野】
【０００１】
本発明は、一枚から数十枚程度の名刺を収納して持ち運ぶための、携帯用名刺入れに関する。
【０００２】
携帯用名刺入れとしては、革製や金属製で、名刺の大部分ないし全体を収容する差し込みポケットを備えたものが多い。しかしながら、このような形態のものは手早く一枚ずつ名刺を取り出すことが難しく、名刺交換の際、もたついてしまうことがあった。
【０００３】
名刺入れの使い勝手を改善するために、様々な形態の名刺入れが提案されている。例えば特許文献１は、名刺の束から一枚だけ容易に取り出すことができるようにする部材を開示している。この部材は、名刺を入れる差し込み部の奥端に差し込んで使用するもので、当該部材の名刺の束が突き当たる当接面を、名刺の引き出し方向に傾斜する斜面に形成したものである。そうすると差し込み部の口では名刺の束の端面が鋭角となるので、鋭角先端に突出する一枚の名刺に指を掛けて、素早く一枚だけ取り出すことが可能となる。
【０００４】
また特許文献２には、名刺の収納部の底を斜めにすることで名刺を斜めに積層して取り出しやすくすることに加えて、収納された名刺の片方のみを押し上げる切り込みと、指で名刺を滑らせて押し出せるよう収納部に設けた切り欠き部とを有する名刺入れが開示されている。
【０００５】
これらの名刺入れは名刺を取り出しやすいという効果は得られるものの、特別に設計された部材を備えるものであって、構造や製造工程の簡単さの点では必ずしも完全なものではなかった。
【０００６】
一方、特許文献３には、薄く、簡単な構造を有する名刺入れが開示されている。特許文献３の名刺入れは、表面素材及び裏面素材の四辺のうち三辺を縫合し、一辺が開口するように縫着され、内部に、開口辺に対向する対辺に凹み形状を有する部材が挿入されてなるものである。但し、この名刺入れには、収容した名刺を名刺入れの中に留めておくための蓋やストッパーに相当する構造がないため、適切に収容できる名刺の枚数は限定されたものであった。
【先行技術文献】
【特許文献】
【０００７】
【特許文献１】特開平８−１２６５１３号公報
【特許文献２】実用新案登録第３１３００４３号公報
【特許文献３】特開２０１１−１１０２９７号公報
【発明の概要】
【発明が解決しようとする課題】
【０００８】
上記の事情に鑑み本発明は、名刺が取り出しやすく、構造が簡単で、かつ収容枚数の多少に関わらず、名刺が飛び出さないように保持できる名刺入れを提供することを目的とする。
【課題を解決するための手段】
【０００９】
本発明者は上記課題について検討を進め、二つに折り畳むタイプの名刺入れにおいて、収容部を、名刺の四辺のうちの隣り合う二辺のみを保持する形態とすることで、名刺の取り出しが非常に容易になることを見出した。さらに、名刺を保持する二辺及び折り畳み部の辺以外の一辺に留め部材を設けることで、持ち運び中にも名刺入れが開いてしまうことがなく、収容する名刺の多少に関わらず名刺が飛び出さないように保持できる名刺入れを得られることを見出し、本発明を完成した。
【００１０】
すなわち本発明は、折り畳み部で折り畳み可能な名刺入れであって、内側に名刺収容部を備え、当該名刺収容部は、折り畳み部の辺以外の三辺のうちの二辺で名刺を保持する収容片を有し、折り畳んだ状態で収容した名刺が飛び出さないように、前記折り畳み部の辺及び収容片の設けられた二辺以外の一辺を留める留め部材が設けられており、折り畳んだ状態では名刺の四辺が保持される、名刺入れに関する。
【００１１】
前記収容片は、前記名刺収容部の一隅に取り付けられた三角形の部材であることが好ましい。また前記収容片は、名刺入れの内側、左右二箇所に取り付けられていることが好ましい。
【００１２】
前記留め部材は、折り畳み自在な蓋片であることが好ましく、当該蓋片は、ボタン、面ファスナー又はクリップで係止する係止部材を有していることがより好ましい。或いは、前記留め部材は、折り畳み部の辺及び収容片の設けられた二辺以外の一辺から当該辺に対向する対辺へ、又は、隣り合う辺へ架け渡された伸縮性バンドであることも好ましい。
【発明の効果】
【００１３】
本発明によれば、簡単な構造で、名刺が取り出しやすく、かつ、持ち運び中などに名刺が飛び出してしまうことのない名刺入れが得られる。また本発明によれば、軽く、嵩張らずシンプルで機能的な名刺入れが得られる。
【図面の簡単な説明】
【００１４】
【図１】本発明の名刺入れの実施例の一例を示す。
【図２】図１の名刺入れを折り畳んだ状態を示す。
【図３】本発明の名刺入れの実施例の一例を示す。
【図４】図３の名刺入れを折り畳む途中の状態を示す。
【図５】本発明の名刺入れの実施例の一例を示す。
【図６】本発明の名刺入れの実施例の一例を示す。
【図７】本発明の名刺入れの実施例の一例を示す。
【発明を実施するための形態】
【００１５】
以後、図面を参照して本発明を説明するが、本発明は図面に示された例に限定されるものではない。
【００１６】
図１は本発明の一例である名刺入れ１を開いた状態であり、図１Ａは内側、図１Ｂは外側を示す。名刺入れ１は、本体中央に折り畳み部２を有し、折り畳み部２を内側に谷折りにして折り畳めるようになっている。折り畳み部２は折り目や背部材で規定されていてもよいが、特別の構造を有さず、実質的に中央で折り畳めるようになっていればよい。名刺入れ１の内側、折り畳み部２の左右二箇所に名刺収容部３が設けられている。それぞれの名刺収容部３の外端の隅に、名刺を収容し、保持するための収容片４が取り付けられている。収容片４は、辺４ａ、４ｂ、４ｃを有する三角形の部材であり、辺４ａは名刺入れ本体と縫着されず、開口部を形成している。辺４ｂ、４ｃにおいて、収容片４と本体とが縫着されている。収容される名刺は、辺４ｂ、４ｃの二辺のみで保持されるので、長手方向、短手方向のいずれにも名刺を滑らせて取り出すことができる。収容片の取り付けには、材質に応じて縫着、接着等の公知の方法を用いればよく、特に制限されない。
【００１７】
収容片４は、名刺の二辺を保持する構造であればよく、その形状、大きさ等は様々に変更できる。図１の例では収容片４は三角形の部材であるが、例えば開口辺４ａは直線ではなく曲線や波型等であってもよいし、辺４ｂ、４ｃの長さも様々に変更しうる。図１の例では、辺４ｂは折り畳み部２まで達しておらず、辺４ｂの端と折り畳み部２との間に間隔がある。間隔を有する場合、名刺の取り出しがより容易になるとともに、折り畳みやすく、嵩張らず、より軽い名刺入れとすることができる。
【００１８】
収容片４はほぼ本体に沿うように設けられており、本体と収容片の間に名刺を挟み込んで収容する。収容する名刺の枚数は材質等によって規定され、特に制限されないが、１枚から数十枚の名刺を収容することができる。多くの名刺を収容するために、収容片４に厚み（マチ）を設けることもできる。
【００１９】
折り畳み部の辺２、収容部４の設けられた２辺以外の辺５に、蓋片６が取り付けられている。蓋片６にはスナップボタン７ａが取り付けられており、名刺入れ１を折り畳んだ時、スナップボタン７ｂと係合するようになっている。すなわち辺５は、折り畳み時には蓋片６によって留められる。図１の例では係止部材としてスナップボタンを備えているが、スナップボタン以外にも、面ファスナー、クリップ等の公知の係止部材を用いることができる。
【００２０】
図１Ｂは名刺入れ１の外側を示している。外側には、蓋片６と連続する付属材８が設けられており、付属材８の辺８ａは本体と縫着されず開口部を形成している。すなわち付属材８は名刺入れの外側に設けられたポケットを形成している。
【００２１】
図２は図１の名刺入れ１を折り畳んだ状態を示している。名刺入れ１は、折り畳み部２で折り曲げられ、蓋片６のスナップボタン７の係合によって係止されている。収容された名刺は、折り畳み部の辺２、収容部の辺４ｂ、４ｃ、及び蓋片６によって四辺とも保持されるため、持ち運び途中に名刺入れから飛び出してしまうことがない。
【００２２】
図３は本発明の別の実施例の名刺入れ１１を示している。名刺収容部３は図１の例と同じであるため、同じ記号を付して説明を省略する。
名刺入れ１１は本体に取り付けられた蓋片１５を有している。蓋片１５は本体の左右両側に渡って形成された三角形の平面部材であり、本体との連結部の辺１５ａで折り畳み自在である。図３の例では蓋片１５の左右それぞれに補強部材１６が貼り付けられている。
【００２３】
図４は名刺入れ１１を折り畳む途中の状態を示している。蓋片１５は内側に折り込まれて、収容された名刺を保持することができる。収容された名刺は、折り畳み部の辺２、収容部の辺４ｂ、４ｃ及び蓋片１５で保持されるため、名刺入れから名刺が飛び出してしまうことがない。図４の名刺入れ１１はスナップボタンや面ファスナー等を有していないが、蓋片１５を内側に折り畳んでからさらに本体を折り畳むことで、持ち運び中等に蓋片１５が開いてしまうことを避けられる。しかしながら当然、名刺入れ１１はさらにスナップボタンや面ファスナー、クリップ等の係合部材を有していてもよい。
【００２４】
図５は本発明の別の実施例の名刺入れ２１を示している。名刺入れ２１では本体の片側のみに１箇所の名刺収容部３を有している。折り畳み部２、名刺収容部３は図１と同様の構造であり説明を省略する。名刺入れ２１の本体は、四角形を一部切り欠いた形状になっているが、これは形状の一例であり特に制限はない。名刺入れ２１は、本体から連続して設けられた蓋片２５を有している。蓋片２５は本体との境界部２５ａで折り畳み自在である。折り畳み部２で名刺入れ２１を二つ折りとし、さらに蓋片２５を折り畳むことで、収容された名刺の四辺は、折り畳み部の辺２、収容部の辺４ｂ、４ｃ及び蓋片２５で保持される。
【００２５】
図６Ａは本発明の別の実施例の名刺入れ３１を示している。名刺入れ３１において、名刺収容部３は図１と同様であるため説明を省略する。名刺入れ３１では、折り畳み部の辺２及び収容片の設けられた二辺４ｂ、４ｃ以外の辺４ｄから、対向する辺４ｂに、ゴムバンド３５が架け渡されている。図６の例ではゴムバンドであるが、伸縮性のあるバンドであればシリコンバンド、リボン等であってもよく材質は特に制限されない。バンドの幅も特に制限されず、幅３ｍｍ〜４０ｍｍ程度のバンドを使用できるが、バンドが細すぎると収容した名刺を保持することが難しくなるため、５ｍｍ〜３０ｍｍ程度のものを用いることが好ましい。
【００２６】
図６Ｂは名刺入れ３１を折り畳んだ状態を示している。名刺入れ３１を折り畳み、ゴムバンド３５を掛けることによって、名刺入れが開かず、また、辺４ｄが留められる。つまり、収容された名刺は、折り畳み部２と、収容部の辺４ｂ、４ｃ及びゴムバンド３５で保持される。
【００２７】
図７Ａは本発明の別の実施例の名刺入れ４１を示している。名刺入れ４１は、本体の左右二箇所に名刺収容部３が取り付けられている。本体部分は、二つの収容片４が互いに対角位置に設けられていること以外は、図１の本体と同様である。名刺入れ４１には、折り畳み部の辺２及び収容片の設けられた二辺４ｂ、４ｃ以外の一辺４ｄを留めるために、留め部材としてゴムバンド４５が設けられている。ゴムバンド４５は、一方の名刺収容部３の辺４ｂから他方の名刺収容部３の辺４ｂに架け渡されている。
【００２８】
図７Ｂは名刺入れ４１を折り畳んだ状態を示している。名刺入れ４１を折り畳み、ゴムバンド４５を掛けることによって、名刺入れが開かず、また、二箇所の名刺収容部３の辺４ｄの両方を留めることができる。つまり、名刺入れ４１に収容された名刺は、折り畳み部の辺２、収容部の辺４ｃ、４ｂ、及びゴムバンド４５で四辺が保持される。
【００２９】
本発明の名刺入れには、天然皮革、合成皮革、布、軟質樹脂、シリコン樹脂等の公知の材料を用いることができる。製造方法としては、裁断、成形、縫製、接着、貼付等の公知の手段を用いることができ特に制限されない。また、本発明の構成に加えて、ポケット、クリップ等の任意の付属部材を有することもできる。
【符号の説明】
【００３０】
１、１１、２１、３１、４１  名刺入れ
２  折り畳み部
３  名刺収容部
４  収容片
６、１５、２５  蓋片
７ａ、７ｂ  スナップボタン
３５、４５  ゴムバンド
【図１】
2015228999.tif 000003
【図２】
2015228999.tif 000004
【図３】
2015228999.tif 000005
【図４】
2015228999.tif 000006
【図５】
2015228999.tif 000007
【図６】
2015228999.tif 000008
【図７】
2015228999.tif 000009